(57)【要約】      （修正有）【課題】磁力効果により磁力を有さないより多くの用品に快適な掛止や着脱を可能にする用品の取り付け具を提供する。【解決手段】磁石５を磁気保持可能な基板２の一側面側３に、基板から突出する複数の突起部６を異なる肉厚で横方向に向かって２列配設し、他側面側４には基板を支持する支持手段部８を設け、一側面側３の突起部６に掛止するように円環ゴム９に永久磁石１１を設けて基板に磁気保持させると共に、円環ゴムの内径に用品を挿入し係止する。複数の突起部の厚い肉厚部の列で円環ゴムに係る用品を確実に掛止させ、薄い肉厚部の列により用品の着脱や移動を行いやすいものとする。【選択図】図１
0003202356.tif 000002
【実用新案登録請求の範囲】
【請求項１】
磁石（５）を磁気保持可能な基板（２）の一側面側（３）に該基板（２）から突出する異なる肉厚で形成されている複数の突起部（６）を横方向に向かって配設し、他側面側（４）に前記基板（２）の配置を支持する支持手段部（８）を設け、前記一側面側（３）の前記突起部（６）に掛止するように円環ゴム（９）に永久磁石（１１）を設けて前記基板（２）
に磁気保持させると共に該円環ゴム（９）の内径に用品を挿入し係止させたことを特徴とする用品の取り付け具。
【請求項２】
前記円環ゴムを輪ゴムまたはＣリングとしてそれぞれを混在する形成としたことを特徴とする請求項１記載の用品の取り付け具。
【請求項３】
前記円環ゴムに係る該円環ゴムの肉厚に対し一部分の肉厚を薄く形成したことを特徴とする請求項１記載の用品の取り付け具。
【請求項４】
前記突起部を弾性部材として前記基板に係止するように該突起部を突出させたことを特徴とする請求項１記載の用品の取り付け具。
【請求項５】
前記横方向に向かって配設する複数の突起部を平行となる二本線として前記基板に配設し、該二本線の下部の線を厚い肉厚の突起部とし上部の線を薄い肉厚の突起部としたことを特徴とする請求項１乃至４のいずれか一項に記載の用品の取り付け具。
【請求項６】
前記突起部を波線上にある突起としたことを特徴とする請求項１乃至５のいずれか一項に記載の用品の取り付け具。
【請求項７】
前記基板の一側面側または該基板の外周端部の少なくとも一方に前記円環ゴムを磁気保持させた状態で前記基板から突出する突起部で前記円環ゴムを囲うように形成したことを特徴とする請求項１乃至６のいずれか一項に記載の用品の取り付け具。
【請求項８】
前記基板を横長形状の長方形または直方体としたことを特徴とする請求項１乃至７のいずれか一項に記載の用品の取り付け具。
【請求項９】
前記基板の外周端部にフックまたは半円リング部を設けて形成したことを特徴とする
請求項１乃至８のいずれか一項に記載の用品の取り付け具。
【請求項１０】
前記基板の外周端部の上部と下部を連通する孔または該上部が開放するポケット収納部を有することを特徴とする請求項１乃至９のいずれか一項に記載の用品の取り付け具。
【請求項１１】
前記基板を複数としそれぞれの肉厚に高低差を与えると共に該高低差となるそれぞれの基板を平行に離間させメッシュで繋ぎあわせて形成したことを特徴とする請求項１乃至１０のいずれか一項に記載の用品の取り付け具。
【請求項１２】
前記基板の少なくとも一部に傾斜または曲部を有する形成としたことを特徴とする請求
項１乃至１１のいずれか一項に記載の用品の取り付け具。
【請求項１３】
前記基板に永久磁石を有する形成としたことを特徴とする請求項１乃至１２のいずれか一項に記載の用品の取り付け具。
【請求項１４】
前記円環ゴムを伸縮部材または弾性部材で形成し該伸縮部材または弾性部材の周面を螺旋状となる補強部を形成したことを特徴とする請求項１乃至１３のいずれか一項に記載の用品の取り付け具。
【請求項１５】
前記円環ゴムの内径または外径の少なくとも一方から突出する突出部を形成もしくは前
記内径または外径の少なくとも一方に滑り止め手段を介する形成としたことを特徴とする請求項１乃至１４のいずれか一項に記載の用品の取り付け具。
【請求項１６】
前記円環ゴムを多孔質としたことを特徴とする請求項１乃至１５のいずれか一項に記載
の用品の取り付け具。
【請求項１７】
前記基板を多孔質で形成し該多孔質の一部に前記磁気保持可能な基板を有する形成としたことを特徴とする請求項１乃至１６のいずれか一項に記載の用品の取り付け具。
【請求項１８】
前記円環ゴムまたは前記基板を熱可塑性樹脂または耐熱部材で形成したことを特徴とする請求項１乃至１７のいずれか一項に記載の用品の取り付け具。
【請求項１９】
前記基板に前記突起部を等間隔に設けたことを特徴とする請求項１乃至１８のいずれか一項に記載の用品の取り付け具。
【請求項２０】
前記他側面側に係る支持手段部を該他側面側に粘着部材層と該粘着部材層を覆う剥離可
能な剥離シート層のそれぞれを一体的に積層させたことを特徴とする請求項１乃至１９の
いずれか一項に記載の用品の取り付け具。
【考案の詳細な説明】
【技術分野】
【０００１】
まず円環ゴムには輪ゴムやＣリング等がありその円環ゴムに係る部材の内径に用品に係る任意部材を挿入し取り付けて使用するものとなるが仮にキッチンではしゃもじやフライ返しまたは菜箸やハサミ等のキッチン用品、洗面台では歯ブラシや歯みがき粉またはくし、玄関では靴ヘラや雑巾、お風呂場ではスポンジやビニール手袋、リビングではリモコンや携帯、寝室や暗い場所では懐中電灯、オフィスではボールペンや消しゴム、工具整理場所ではドライバーやカナズチ等の多目的用途にその輪ゴムやＣリングからなる円環の輪の内径に通して使用できるものとなるがその任意用品に輪ゴムを取り付けたまま使用できる歯ブラシや歯みがき粉等またはＣリングとしてその任意用品を取り外して使用したい菜箸やハサミ等のそれぞれをその円環に係る切り込みを有するＣリング形状の形成によりその任意用品の着脱はその切り込みから簡易的に行えるものとなりそれぞれの円環ゴムの内径に任意用品を挿入し係止させると共にその円環ゴムに永久磁石を設け磁気保持可能な基板に取り付けることによりそれぞれの磁気を有さない部材に磁気効果を与え樹脂や木製または繊維製や金属製を共にそれぞれに係るあらゆる部材に磁着整理効果が得られるものとなりまたその基板に対し横方向に向かって配設する該基板から突出する異なる肉厚で形成されている複数の突起部を利用して厚い肉厚部と薄い肉厚部に分けてその基板から突出させることにより該基板に取り付ける用品に対しその厚い肉厚部は該用品を下方向にズレ落ちることを防ぐことやまた左右にズレルことを防ぐストッパーの役目となりまたその薄い肉厚部を厚い肉厚部に対し上方向等に設けることによりそれぞれ掛止させる用品を該上方向にズレルことを防ぐと共にその肉厚部は薄い為該肉厚部をその円環ゴムに備わる用品が該円環ゴムの変形や伸縮と共に乗り越えて該用品の着脱が行いやすいものとなりまた形成一例としてその厚い肉厚部の用品の取り付け部と薄い肉厚部の用品取り付け部をそれぞれの取り付け部に高低差を与える取り付けとなることによりそれぞれの取り付け用品を交わりにくくし小スペースでより多くの収納掛止を可能とすることもでき尚その横方向に向かって配設する異なる肉厚で形成されている複数の突起部となることによりその薄い肉厚部やそれぞれの突起間から水抜き効果を与え水周りの使用に適するものとし更にその基板の他側面側の該基板の設置を支持する支持手段部によりその基板の他側面側の安定しやすい面を利用する壁面に粘着部材で支持させる、鏡等に吸着部材で支持させる、机の上に置けるように立設部材で支持させる等がありそれぞれ示す一例の支持により基板を安定させる共に該基板に取り付けるそれぞれの用品を安定した状態で着脱を行えるものとしまたその円環ゴムの肉厚を利用して該円環ゴムに係る部材をそれぞれ取り付けた任意用品に係る先端をテコのように平面に対し上に持ちあげその先端がテーブルや水平なキッチン台等に付けたくないしゃもじやフライ返し等に利用できるものとなり更にその円環ゴムを歯磨き粉につけて使用した場合該歯磨き粉の後部から先端方向にその歯磨き粉を押し出しながら使い残しのないように使用することも可能となる。
【背景技術】
【０００２】
用品の取り付け具として、より多くの樹脂や木製または繊維等の用品に係るあらゆる
部材を磁着からなる掛止を可能にしてより良い掛止を行うことやそれぞれの用品をより
良い着脱を行うという改良点があった。
【先行技術文献】
【特許文献】
【０００３】
【特許文献１】実登３０５１０５０号公報
【考案の概要】
【考案が解決しようとする課題】
【０００４】
用品の取り付け具として、より多くの樹脂や木製または繊維等のあらゆる用品を磁着から
なる掛止を可能にすることが困難なことやその掛止を、よりよい用品の掛止や着脱とする為に本考案は円環ゴムに永久磁石を設け該円環ゴムに係る永久磁石と磁気保持可能な基板を形成することによりその円環ゴムには輪ゴムやＣリング等がありその円環からなる輪の内径に使用する任意用品を挿入して使用することによりキッチンではしゃもじやフライ返しまたは菜箸やハサミ等のキッチン用品、洗面台では歯ブラシや歯みがき粉またはくし、玄関では靴ヘラや雑巾、お風呂場ではスポンジやビニール手袋、リビングではリモコンや携帯、寝室や暗い場所では懐中電灯、オフィスではボールペンや消しゴム、工具整理場所ではドライバーやカナズチ等の多目的用途に使用できるものとなりそれぞれの用品に取り付ける円環ゴムに係る輪ゴムは該輪ゴムをその任意用品に取り付けた状態で使用できるボールペンや消しゴムまたはしゃもじやフライ返し等に適しまたその円環に係るＣリングは該Ｃリングの切り込みから取り外して使用したい菜箸やハサミ等の用品に適するものとなりそれぞれの用品の使い分けの選択ができるものとなる為その用品に係る樹脂製や木製または繊維製や金属製を共にあらゆる用品をその磁気保持可能な基板に磁着からなる掛止を可能とするものとなりまたその基板に対し横方向に向かって配設する該基板から突出する異なる肉厚で形成されている複数の突起部を利用して厚い肉厚部と薄い肉厚部に分けてその基板から突出させることにより該基板に取り付ける用品に対しその厚い肉厚部は該用品を下方向または左右にズレルことを防ぐストッパーのとなり尚その薄い肉厚部を厚い肉厚部に対し上方向等に設けることによりそれぞれを掛止させる用品を該上方向にズレルことを防ぐと共にその肉厚部は薄い為該肉厚部をその円環ゴムに備わる用品が該円環ゴムの変形や伸縮と共に乗り越えて該用品の着脱が行いやすいものとなり尚その横方向に向かって配設する突起部を異なる肉厚で形成されている複数の突起部となることによりその薄い肉厚部や複数のそれぞれの突起間から水抜き効果を与え水周りの使用に適するものとしまた形成一例となるがその厚い肉厚部の用品の取り付け部と薄い肉厚部の用品の取り付け部をそれぞれの取り付け部に高低差を与える取り付けとなることによりそれぞれの取り付け用品を交わりにくくし小スペースでより多くの収納掛止を可能とし更にその基板の他側面側の該基板の設置を支持する支持手段部によりその基板の他側面側の安定しやすい面を利用する壁面に粘着部材で支持させる、鏡等に吸着部材で支持させる、机の上に置けるように立設部材で支持させる等がありそれぞれ示す一例の支持により基板を安定させる共に該基板に取り付けるそれぞれの用品を安定した状態で着脱を行えるものとしまたその円環ゴムの肉厚を利用して該円環ゴムに係る部材をそれぞれ取り付けた任意用品に係る先端をテコのように平面に対し上に持ちあげその先端がテーブルや水平なキッチン台等に付けたくないしゃもじやフライ返し等に利用できるものとなり更にその円環ゴムを歯磨き粉につけて使用した場合該歯磨き粉の後部から先端方向にその歯磨き粉を押し出しながら使い残しのないように使用することも可能となる。
【課題を解決するための手段】
【０００５】
本考案１は
磁石（５）を磁気保持可能な基板（２）の一側面側（３）に該基板（２）から突出する異なる肉厚で形成されている複数の突起部（６）を横方向に向かって配設し、他側面側（４）に前記基板（２）の配置を支持する支持手段部（８）を設け、前記一側面側（３）の前記突起部（６）に掛止するように円環ゴム（９）に永久磁石（１１）を設けて前記基板（２）に磁気保持させると共に該円環ゴム（９）の内径に用品を挿入し係止させたことを特徴とする用品の取り付け具を提供。
【０００６】
本考案２は
前記円環ゴムを輪ゴムまたはＣリングとしてそれぞれを混在する形成としたことを特徴と
する用品の取り付け具を提供。
【０００７】
本考案３は
前記円環ゴムに係る該円環ゴムの肉厚に対し一部分の肉厚を薄く形成したことを特徴とする用品の取り付け具を提供。
【０００８】
本考案４は
前記突起部を弾性部材として前記基板に係止するように該突起部を突出させたことを特徴とする用品の取り付け具を提供。
【０００９】
本考案５は
前記横方向に向かって配設する複数の突起部を平行となる二本線として前記基板に配設し、該二本線の下部の線を厚い肉厚の突起部とし上部の線を薄い肉厚の突起部としたことを特徴とする用品の取り付け具を提供。
【００１０】
本考案６は
前記突起部を波線上にある突起としたことを特徴とする用品の取り付け具を提供。
【００１１】
本考案７は
前記基板の一側面側または該基板の外周端部の少なくとも一方に前記円環ゴムを磁気保持させた状態で前記基板から突出する突起部で前記円環ゴムを囲うように形成したことを特徴とする用品の取り付け具を提供。
【００１２】
本考案８は
前記基板を横長形状の長方形または直方体としたことを特徴とする用品の取り付け具を提供。
【００１３】
本考案９は
前記基板の外周端部にフックまたは半円リング部を設けて形成したことを特徴とする用品
の取り付け具を提供。
【００１４】
本考案１０は
前記基板の外周端部の上部と下部を連通する孔または該上部が開放するポケット収納部を有することを特徴とする用品の取り付け具を提供。
【００１５】
本考案１１は
前記基板を複数としそれぞれの肉厚に高低差を与えると共に該高低差となるそれぞれの基板を平行に離間させメッシュで繋ぎあわせて形成したことを特徴とする用品の取り付け具を提供。
【００１６】
本考案１２は
前記基板の少なくとも一部に傾斜または曲部を有する形成としたことを特徴とする用品の
取り付け具を提供。
【００１７】
本考案１３は
前記基板に永久磁石を有する形成としたことを特徴とする用品の取り付け具を提供。
【００１８】
本考案１４は
前記円環ゴムを伸縮部材または弾性部材で形成し該伸縮部材または弾性部材の周面を螺旋状となる補強部を形成したことを特徴とする用品の取り付け具を提供。
【００１９】
本考案１５は
前記円環ゴムの内径または外径の少なくとも一方から突出する突出部を形成もしくは前記内径または外径の少なくとも一方に滑り止め手段を介する形成としたことを特徴とする用品の取り付け具を提供。
【００２０】
本考案１６は
前記円環ゴムを多孔質としたことを特徴とする用品の取り付け具を提供。
【００２１】
本考案１７は
前記基板を多孔質で形成し該多孔質の一部に前記磁気保持可能な基板を有する形成としたことを特徴とする用品の取り付け具を提供。
【００２２】
本考案１８は
前記円環ゴムまたは前記基板を熱可塑性樹脂または耐熱部材で形成したことを特徴とする用品の取り付け具を提供。
【００２３】
本考案１９は
前記基板に前記突起部を等間隔に設けたことを特徴とする用品の取り付け具を提供。
【００２４】
本考案２０は
前記他側面側に係る支持手段部を該他側面側に粘着部材層と該粘着部材層を覆う剥離可能
な剥離シート層のそれぞれを一体的に積層させたことを特徴とする用品の取り付け具を提
供。
【考案の効果】
【００２５】
本考案１は
磁石（５）を磁気保持可能な基板（２）の一側面側（３）に該基板（２）から突出する異なる肉厚で形成されている複数の突起部（６）を横方向に向かって配設し、他側面側（４）に前記基板（２）の配置を支持する支持手段部（８）を設け、前記一側面側（３）の前記突起部（６）に掛止するように円環ゴム（９）に永久磁石（１１）を設けて前記基板（２）に磁気保持させると共に該円環ゴム（９）の内径に用品を挿入し係止させたことを特徴とする為まずその円環ゴムには輪ゴムやＣリング等からなりその円環ゴムの内径に用品に係る任意部材を挿入し取り付けて使用するものとなるが仮にキッチンではしゃもじやフライ返しまたは菜箸やハサミ等のキッチン用品、洗面台では歯ブラシや歯みがき粉またはくし、玄関では靴ヘラや雑巾、お風呂場ではスポンジやビニール手袋、リビングではリモコンや携帯、寝室や暗い場所では懐中電灯、オフィスではボールペンや消しゴム、工具整理場所ではドライバーやカナズチ等の多目的用途にその円環ゴムに係る輪ゴムやＣリングからなる輪の内径に通して使用するものとなりその任意用品に輪ゴムを取り付けたまま使用できる歯ブラシや歯みがき粉もしくはしゃもじやフライ返し等またはＣリングとしてその任意用品を取り外して使用したい菜箸やハサミ等のそれぞれをそのＣリング形状の円環形成により該任意用品の着脱は簡易的なものとなりその円環ゴムに永久磁石を設けると共に該円環ゴムの内径に整理が必要な用品に係る任意部材または使用頻度の高い用品を挿入し取り付けることによりそれぞれの磁気を有さない部材に磁気効果を与え樹脂や木製または繊維製や金属製を共にそれぞれに係るあらゆる部材に磁着効果を与えその磁気保持可能な基板に整理できるものとしまたその基板に対し横方向に向かって配設する該基板から突出する異なる肉厚で形成されている複数の突起部を形成し且利用して該複数の突起部を厚い肉厚部と薄い肉厚部に分けてその基板から突出させることにより該基板に取り付ける用品に対しその厚い肉厚部は該用品を下方向や左右にズレルことを防ぐストッパーの役目となり尚その薄い肉厚部を厚い肉厚部に対し上方向等に設けることによりそれぞれ基板に掛止させる用品をその上方向にズレルことを防ぐと共にその肉厚部は薄い為該肉厚部をその円環ゴムに備わる用品が該円環ゴムの変形や伸縮と共に乗り越えて該用品の着脱が行いやすいものとなり尚その横方向に向かって配設する突起部をそれぞれの厚みとなる肉厚の複数突起部となることによりその薄い肉厚部やそれぞれの突起間から水抜き効果を与え水周りの使用に適するものとしまた形成一例となるがその厚い肉厚部の用品の取り付け部と薄い肉厚部の用品取り付け部をそれぞれの取り付け部に高低差を与える取り付けとなることによりそれぞれの取り付け用品を交わりにくくし小スペースでより多くの収納掛止を可能とし更にその基板の他側面側に係る基板の配置を支持する支持手段部を形成することによりその他側面側の安定しやすい面を利用する壁面に粘着部材で支持させる、鏡等に吸着部材で支持させる、机の上に置けるように立設部材で支持させる等がありそれぞれ示す一例の支持により基板を安定させる共に該基板に取り付けるそれぞれの用品を安定した状態で着脱を行えるものとしまたその円環ゴムの肉厚を利用して該円環ゴムに係る部材をそれぞれ取り付けた任意用品に係る先端をテコのように平面に対し上に持ちあげその先端がテーブルや水平なキッチン台等に付けたくないしゃもじやフライ返し等に利用できるものとなり尚その円環ゴムには永久磁石を有する為該永久磁石の重みを利用してその水平なキッチン台等に安定して置くことができるものとし更にその円環ゴムを歯磨き粉につけて使用した場合該歯磨き粉の後部から先端方向にその歯磨き粉を押し出しながら使い残しのないように使用することも可能となる。
【００２６】
本考案２は
前記円環ゴムを輪ゴムまたはＣリングとしてそれぞれを混在する形成としたことを特徴と
する為その円環ゴムを輪ゴムまたはＣリングとしてそれぞれを混在する形成としたことに
よりその円環ゴムに係る輪ゴムを用品に取り付けた状態で使用できる用品またはしゃもじ
やフライ返し等に係るその円環ゴムを取り付けることによりそれぞれの用品の先端部をも
ちあげ使用したい部材に適することやまたその円環ゴムから用品を取り外して使用したい
場合その円環ゴムに係るＣリングからなる円環切り込みを利用することによりそのＣリン
グに取り付けられる菜箸やハサミ等の二方に可動または二方に離れる用品の使用に適する
ものとなりそれぞれの用品によってその円環ゴムの形状を変えて取り付けることにより使
用が快適なものとなる。
【００２７】
本考案３は
前記円環ゴムに係る該円環ゴムの肉厚に対し一部分の肉厚を薄く形成したことを特徴とす
る為その円環ゴムに係る該円環ゴムの肉厚に対し一部分の肉厚を薄く形成したことにより
その一部分の肉厚が薄い円環ゴムを任意用品に取り付けることによりまずその用品に対し
上部側の肉厚が薄くなることにより該上部側が用品の使用に対し邪魔になりにくい円環ゴ
ムの取り付けとなりまた下部側の厚みのある肉厚を利用してそれぞれの用品に係る先端部
を持ち上あげた状態であらゆる任意用品をテーブルや水平なキッチン台に置くことができ
次に形成一例となるがその用品に円環ゴムを取り付けた状態で該円環ゴムに係る下部側の
肉厚を薄く形成することにより仮にリモコン等の操作安定がしやすい形成とすることもで
きまたその円環ゴムは垂直な基板面に磁着させる場合その円環ゴムの重みにより該円環ゴ
ムに係る用品が外れてしまうことを防ぐ為にその用品に対し円環ゴムの上部側の肉厚を薄
くすることにより該上部側の重量を軽減してその垂直面でも安定した状態で磁着取り付け
が行えるものとなる。
【００２８】
本考案４は
前記突起部を弾性部材として前記基板に係止するように該突起部を突出させたことを特徴
とする為まずその基板に係る突起部を弾性部材とすることにより該突起部に弾力変形効果
を与えその突起部に着脱可能に掛止する円環ゴムに備わる用品をその突起の弾力変形を利
用してその突起肉厚が変化しやすいことや該変形となる突起障害物となることなく取り外
しが行えるものとなりまたその突起部を基板に係止するように突出した為該係止によりそ
の突起は基板に安定した突出となり係止手段を介する部材やまた形成一例となるがその弾
性部材からなる突起をシール側面から突出させてその基板に貼り付け等の貼り付け部材を
使用することも可能となりその基板側面からの突出する突起やまたその基板に取り付け手
段を介する部材からなる突起形成も可能となりまたその基板にその突起を接着手段を介す
る係止形成やその突起を基板に熔着手段を介して形止させることも可能となる。
【００２９】
本考案５は
前記横方向に向かって配設する複数の突起部を平行となる二本線として前記基板に配設し、
該二本線の下部の線を厚い肉厚の突起部とし上部の線を薄い肉厚の突起部としたことを特
徴とする為その横方向に向かって配設する複数の突起部を平行となる二本線として前記基
板に配設し、該二本線の下部の線を厚い肉厚の突起部とし上部の線を薄い肉厚の突起部とし
たことによりその二本線の下部の線上となる該線上に形成する仮に単数やまた複数の厚い肉厚となる大突起によりその円環ゴムに備わる用品を確実に掛止すると共にその大突起と平行となる上部の線上を薄い肉厚となる小突起となることにより該小突起によりそれぞれ基板に掛止される用品をその薄い突起により動かないように固定させ尚その薄い突起は薄い肉厚または狭い幅の肉厚となる為該薄い突起を乗り越えてそれぞれの用品を取り出しやすいものとなる。
【００３０】
本考案６は
前記突起部を波線上にある突起としたことを特徴とする為その突起部を波線上にある突起
としたことにより横方向に向かって波線上にある突起部の利点は該波線上となる凹部に円
環ゴムに備わる用品を引っかけ左右または下部方向にその円環ゴムに備わる用品をずれる
ことを防ぐものとし確実に掛止させることができるようになる。
【００３１】
本考案７は
前記基板の一側面側または該基板の外周端部の少なくとも一方に前記円環ゴムを磁気保持
させた状態で前記基板から突出する突起部で前記円環ゴムを囲うように形成したことを特
徴とする為その基板の一側面側または該基板の外周端部の少なくとも一方に前記円環ゴム
を磁気保持させた状態で前記基板から突出する突起部で前記円環ゴムを囲うように形成し
たことによりその突起で囲われた円環ゴムはそれぞれの方向にずれることなく安定した状
態でそれぞれの任意用品の着脱や使用が行えるものなりまたその囲う形状には円で囲う、
四方で囲う、二方で囲う等があり尚それぞれの円環ゴムを使用しない該円環ゴムをその基
板の一部に取り付け収納部する際にその囲う形状の突起により安定した収納が得られやす
い形成となる。
【００３２】
本考案８は
前記基板を横長形状の長方形または直方体としたことを特徴とする為その基板を横長形状
の長方形または直方体としたことにより該長方形または直方体はそれぞれの縦または横が
平行となる為該平行に伴いその横方向に向かってそれぞれの用品を綺麗に並べて取り付け
ることができまたその直方体は横の長さに対し縦の長さが短い為それぞれの用品をその基
板の立体肉厚を利用して該基板の端部となる上下からはみ出すようにしてその用品に係る
先端部や孔端部となる取手部を浮かした状態で掛止することができるようになる。
【００３３】
本考案９は
前記基板の外周端部にフックまたは半円リング部を設けて形成したことを特徴とする為そ
のフックに円環ゴムをかけて収納させることやそれぞれの用品を該フックに直接掛けて吊
るし収納が可能となり次にその半円リング部をその基板の外周端部に有する形成となるこ
とにより該半円リング部を介してＳ字フック等をその基板に対し垂直に向ける掛止ができ
るようになるためそのＳフックの先端へそれぞれの用品をかけやすい形成となると共にそ
のＳ字フックの長さ分その基板に係るフック取り付け部とＳ字フックの取り付け部に高低
差を与えるそれぞれの高さなる取り付け部となることにより複数用品の取り付け部材は交
わることなくより多くの用品の取り付けが可能となる。
【００３４】
本考案１０は
前記基板の外周端部の上部と下部を連通する孔または該上部が開放するポケット収納部を
有することを特徴とする為まずその基板の外周端部に係る上部と下部の連通する孔を利用
してキッチン用品では包丁等を差して収納する第二の収納部となりまた工具用品ではＬ字
差し金をその孔にさすことや洗面台では剃刀をさす等のそれぞれ任意の使い方ができるも
のとなり次にその基板の外周端部に係る上部が開放するポケット収納部を有することによ
り該ポケット収納部に任意用品を入れて使用することやそのポケットを複数となる分割に
することにより該分割による少幅からなるそれぞれのポケット収納部を利用してスプ―ン
やホークまたは箸等のそれぞれの使用場所に応じてその任意用品を入れて使用してもよい
ものとなる。
【００３５】
本考案１１は
前記基板を複数としそれぞれの肉厚に高低差を与えると共に該高低差となるそれぞれの基
板を平行に離間させメッシュで繋ぎあわせて形成したことを特徴とする為それぞれの基板
に係る前途直方体等の基板肉厚に高低差を与えると共に該高低差となる基板を平行に離間
させメッシュで繋ぎあわせて形成したことによりまずその複数となる基板のそれぞれの肉
厚に高低差を与えることによりその肉厚が厚い基板と肉厚が薄い基板にそれぞれの用品を
取り付けた状態位置をかえることによりそれぞれの用品接触をその高低差でさけやすくす
るものとなり更にそれぞれの基板をメッシュで繋ぎ合わせることによりそのメッシュはそ
れぞれの穴により水乾燥率が高いことや通気性が良いものよいものとなりまたそのメッシ
ュ穴にＳ字フック等を吊り下げて様々な収納用品を取り付けることが可能となりより多く
の用品を収納することができる。
【００３６】
本考案１２は
前記基板の少なくとも一部に傾斜または曲部を有する形成としたことを特徴とする為まずその基板に傾斜を有する形成はその傾斜角度を利用してそれぞれの用品の先端部を持ち上げる等の斜めの取り付けができるものとなり次にその基板に曲部を有する形成とすることによりその曲部なる曲がりを利用して円環ゴムを引っかける等の形状による滑り止め効果を与えまた形成一例となるがその基板の上端部に曲の曲がりを有すことによりその曲がりを介してキッチン用品等の先端部を持ち上げることもでき更にその基板の下端部に曲の曲がりを有すことによりその基板にから用品が落ちることを防ぐ効果を与えることやその曲がりに使用していない円環ゴムを置き収納するとその円環ゴムは曲部の凹処で固定される為安定した収納が得られるものとなる。
【００３７】
本考案１３は
前記基板に永久磁石を有する形成としたことを特徴とする為その基板の永久磁石を介して
円環ゴムに係る永久磁石のそれぞれの磁石を引き合わせ磁着効果を高めるものとすること
や、またその基板の永久磁石を利用して金属類等に係る用品を直接取り付けられるそれぞれ
の取り付け方法を介することができるものとなり仮にそれぞれ用品をその基板に対しそれ
ぞれの突起を介して樹脂や木製等の用品をその円環ゴムの永久磁石部を利用して磁着させ
掛止する部分と共に金属用品に係るそれぞれの包丁やハサミ等をその基板に有する永久磁
石を利用して取り付ける部分をわけて形成することにより、より便利に使用できる形成とな
る。
【００３８】
本考案１４は
前記円環ゴムを伸縮部材または弾性部材で形成し該伸縮部材または弾性部材の周面を螺旋
状となる補強部を形成したことを特徴とする為その円環ゴムを伸縮部材または弾性部材で
形成し該伸縮部材または弾性部材の周面を螺旋状となる補強部を形成したことにより
その円環ゴムに係る伸縮部材の伸び縮みを利用してそれぞれの用品を保持させることやそ
の円環ゴムに係る弾性部材の弾力を利用してそれぞれの用品を保持させるのとなり仮にそ
の伸縮部材は円環ゴムに係る輪ゴムとして該輪ゴムの伸び縮みを利用しまたその円環ゴム
に係るＣリングはウレタン等の弾性部材の弾力効果を利用して挟み込むように形成しても
よいものとなり尚その弾性部材または伸縮部材を螺旋状となる補強部を形成したことによ
りその弾性部材等の周面に螺旋状の補強部を設けることにより該螺旋状の補強部はバネの
ようにその伸縮部材の伸び縮みに合わせて変形しやすくまたそのバネのような繋ぎ目のな
い補強によりそれぞれの部材を壊れにくい形成となる。
【００３９】
本考案１５は
前記円環ゴムの内径または外径の少なくとも一方から突出する突出部を形成もしくは前記
内径または外径の少なくとも一方に滑り止め手段を介する形成としたことを特徴とする為
その円環ゴムの内径または外径の少なくとも一方から突出する突出部を形成もしくはその
内径または外径の少なくとも一方に滑り止め手段を介する形成としたことによりその円環
ゴムの内径から突出する突出部または滑り止め手段を介する形成としたことによりそれぞ
れの用品に係る四角や丸等の大きさや形に合わせて保持または滑りにくい形成となりまた
その円環ゴムに係る外径から突出する突出部または滑り止め手段を介する形成を与えるこ
とによりその突出等の凹凸面を介して滑り止めとなり扱いやすい形成となる。
【００４０】
本考案１６は
前記円環ゴムを多孔質としたことを特徴とする為その円環ゴムを多孔質としたことにより
それぞれの孔により軽量な部材となりやすいことで壁等の垂直面に対しとれにくいものと
なりまた軟らかな感覚を与え角の立たない部材となりやすい為安全に安心して使用できる
部材となる。
【００４１】
本考案１７は
前記基板を多孔質で形成し該多孔質の一部に前記磁気保持可能な基板を有する形成とした
ことを特徴とする為まずその基板を多孔質で形成することによりその多孔質にはゴム等が
あり軟らかい部材となりやすい為それぞれの用品の取り付け時の接触を和らげることやま
たそれぞれの孔により軽量となりやすい為その基板を壁等への取り付けを該軽量で支えや
すものとしまたその多孔質に対し一部にその磁気保持可能な基板を有する形成となること
により該一部の重みにより軽量となりやすい基板を提供するものとなる。
【００４２】
本考案１８は
前記円環ゴムまたは前記基板を熱可塑性樹脂または耐熱部材で形成したことを特徴とする
為その円環ゴムまたは基板を熱可塑性樹脂または耐熱部材で形成したことにより熱に強い
形成となり火元や温度上昇による変形を防ぐものとなる。
【００４３】
本考案１９は
前記基板に前記突起部を等間隔に設けたことを特徴とする為その基板に前記突起部を等間
隔に設けたことによりそれぞれの用品の取り付けを安定させやすい形成となる。
【００４４】
本考案２０は
前記他側面側に係る支持手段部を該他側面側に粘着部材層と該粘着部材層を覆う剥離可能
な剥離シート層のそれぞれを一体的に積層させたことを特徴とする為その他側面側に係る
支持手段部を該他側面側に粘着部材層と該粘着部材層を覆う剥離可能な剥離シート層のそ
れぞれを一体的に積層させたことによりその剥離シートを剥がし基板をそれぞれの多用途
の使用場所に粘着させて使用することができる。
【図面の簡単な説明】
【００４５】
【図１】本考案に係る用品の取り付け具の正面図。
【図２】形成一例概略図。
【図３】形成一例概略図。
【図４】形成一例概略図。
【図５】形成一例概略図。
【図６】形成一例概略図。
【考案を実施するための形態】
【００４６】
以下、本考案の好適な実施例を図面に基づいて説明する。
【００４７】
図１は本考案に係る用品の取り付け具の一例を示す正面図である。
【００４８】
図１は磁石（５）を磁気保持可能な基板（２）の一側面側（３）に該基板（２）から
突出する異なる肉厚で形成されている複数の突起部（６）を横方向に向かって配設し、
他側面側（４）に前記基板（２）の配置を支持する支持手段部（８）を設け、前記一側
面側（３）の前記突起部（６）に掛止するように円環ゴム（９）に永久磁石（１１）を
設けて前記基板（２）に磁気保持させると共に該円環ゴム（９）の内径に用品を挿入し
係止させたことを特徴とすることを示しその永久磁石１１を有する円環ゴム９には輪
ゴム５４やＣリング１０等がありまずその円環ゴム９からなる輪ゴム５４とＣリング
１０に係る部材の内径に用品に係る任意部材を挿入し取り付けて使用するものとなる
が仮にキッチンではしゃもじやフライ返しまたは菜箸やハサミ等のキッチン用品、洗面
台では歯ブラシや歯みがき粉またはくし、玄関では靴ヘラや雑巾、お風呂場ではスポン
ジやビニール手袋、リビングではリモコンや携帯、寝室や暗い場所では懐中電灯、オフ
ィスではボールペンや消しゴム、工具整理場所ではドライバーやカナズチ等の多目的用
途にその円環ゴム９に係る輪ゴム５４やＣリング１０からなる輪の内径に通して使用
できるものとなりその任意用品にその輪ゴム５４を取り付けたまま使用できる歯ブラ
シや歯みがき粉等またはＣリング１０としてその任意用品を取り外して使用したい菜
箸やハサミ等のそれぞれを該Ｃリング１０形状の形成により該任意用品の着脱は簡易
的なものとなりその円環ゴム９に整理が必要な用品に係る任意部材を取り付けること
によりそれぞれの磁気を有さない部材に磁気効果を与え樹脂製や木製または繊維製や
金属製を共にそれぞれに係るあらゆる部材に磁着掛止効果が得られるものとなりまた
その基板２に対し横方向に向かって配置する該基板２から突出する異なる肉厚で形成
されている複数の突起部６を利用してその突起部６を厚い肉厚部５１と薄い肉厚５２
部に分けてその基板２から突出させることにより該基板２に取り付ける用品に対しそ
の厚い肉厚部は該用品を下方向にズレルことを防ぐストッパーの役目となり尚その薄
い肉厚５２部を厚い肉厚５１部に対し上方向に設けることによりそれぞれ掛止させる
用品を該上方向にズレルことを防ぐと共にその肉厚部は薄い為該肉厚部を円環ゴム９
に備わる用品が該円環ゴム９の変形や伸縮と共に乗り越えて該用品の着脱が行いやす
いものとなり尚その横方向に向かって配置する突起部６となる異なる肉厚で形成され
ている複数の突起部の配設とすることによりその薄い肉厚５２部やそれぞれの突起間
から水抜き効果を与え水周りの用品使用に適するものとしまた形成一例となるがその
厚い肉厚５１部の用品の取り付け部と薄い肉厚５２部の用品取り付け部をそれぞれの
取り付け部に高低差を与える取り付けとなることによりそれぞれの取り付け用品を交
わりにくくし小スペースでより多くの収納掛止を可能とし更にその基板２の他側面側
４となる該基板２の配置を支持する支持手段部８によりその基板２の他側面側４の安
粘着部材１５で支持させる、鏡等に吸着部材１４で支持させる、机の上に置けるように
立設部材１６で支持させる等がありそれぞれ示す一例の支持により基板２を安定させ
る共に該基板２に取り付けるそれぞれの用品を安定した状態で着脱を行えるものとし
またその円環ゴム９の肉厚を利用して該円環ゴム９に係る部材をそれぞれ取り付けた
任意用品に係る先端をテコのように平面に対し上に持ちあげその先端がテーブルや水
平なキッチン台等に付けたくないしゃもじやフライ返し等に利用できるものとなり更
にその円環ゴム９を歯磨き粉につけて使用した場合該歯磨き粉の後部から先端方向に
その歯磨き粉を押し出しながら使い残しのないように使用することも可能となりその
円環ゴム９にその歯磨き粉を押し出す手段を利用して形成してもよいものとなりその
円環形成で有れば仮に該円環に他部材を合わせて形成してもそのゴムは円環となる。
【００４９】
図２は前記円環ゴム９を輪ゴム５４またはＣリング１０としてそれぞれを混在する形
成としたことを特徴とすることを示しその円環ゴム９を輪ゴム５４またはＣリング１０
としてそれぞれを混在して形成することによりその輪ゴム５４を用品に取り付けたまま
使用できるしゃもじやフライ返しまたその円環ゴムを用品から取り外したい菜箸やハサ
ミ等にそのＣリング１０からなる切り込みからその用品を取り外して使用できるように
なる為、より多くの用品の使用が便利なものとなる。
【００５０】
図３の（ａ）は前記円環ゴム９に係る該円環ゴム９の肉厚に対し一部分の肉厚を薄く
形成したことを特徴とすることを示しその円環ゴム９を該円環ゴム９の肉厚に対し一
部分の肉厚を薄く形成してそれぞれの用品に取り付けることにより該用品に備わる円
環ゴム９の仮に上方と下方の肉厚が異なるものとなるその上方の肉厚が薄くなること
によりその用品を使用するゴム肉厚が感じにくいものとなる為該用品の使用がしやす
いものとなりまたその用品に備わる円環ゴム９の下方は厚みを有する肉厚となる為そ
の厚みを介してテーブルや水平なキッチン台にあらゆる任意用品の先端部を持ち上げ
て置くことが可能となりまたその下方には永久磁石１１を有する為該永久磁石１１の
重みを利用してそのテーブルや水平なキッチン台に安定した状態で置けるものとなり
また一例形成となるがその円環ゴム９の左右の肉厚に対し上方と下方の肉厚を共に薄
く形成することによりその薄くした円環ゴム９を用品に取り付けることにより水平な
台に対し水平に置きたい電気のリモコン等に使用でき該リモコンの操作が行いやすい
ものとなり尚その円環ゴム９の肉厚はその上方と下方の肉厚を異なる厚みの肉厚とし
て形成することができまたその下方の肉厚より上方の肉厚を薄く形成することにより
その円環ゴム９の上方は軽くなる為壁等の垂直面に取り付ける基板２に対し安定した
状態で磁着させることも可能となり（ｂ）は前記突起部６を弾性部材３５として前記基
板２に係止するように該突起部６を突出させたことを特徴とすることを示しその突起
部６を弾性部材３５として前記基板２に係止するように該突起部６を突出させたこと
により該弾性部材３５の変形や伸縮性を利用してその突起部６に係止されるそれぞれ
の用品を取り出しやすいものとしまたその用品と基板２のそれぞれの掛止接触を和ら
げる形成となり尚その弾性突起やまたは本考案１に係る突起形成の一例として該突起
をその基板２に貫通させて該基板２に係止させることやまたその基板２から突起部６
を接着または熔着等で取り付けて該基板２に係止させることやまたそれぞれの突起が
突出している突起シール４７をその基板２に貼り付けて該基板２に用品を掛止させる
等のそれぞれの形成があり（ｃ）は前記横方向に向かって配設する複数の突起部６を平
行となる二本線５３として前記基板２に配設し、該二本線５３の下部の線を厚い肉厚５
１の突起部６とし上部の線を薄い肉厚５２の突起部６としたことを特徴とすることを
示しその基板２に対し横方向に向かう異なる肉厚で形成されている複数の突起部６を
平行となる二本線５３として該二本線５３の下部の線を厚い肉厚５１の突起部６とし
上部の線を薄い肉厚５２の突起部６としたことによりその下部の線となる厚い肉厚５
１の突起部６により円環ゴム９に備わる用品を確実に掛止させ磁着収納させるものと
なりその厚い肉厚５１に係る突起部６は円環ゴム９に係る用品を下部にずれることを
防ぐと共にその薄い肉厚５２の突起部６は肉厚が薄い為その円環ゴム９の変形や伸縮
と共にその薄い肉厚５２の突起部６を乗り越えてそれぞれ基板２に取り付けられる用
品を取り出しやすいものとなり（ｄ）は前記突起部６を波線上７にある突起としたこと
を特徴とすることを示しその基板２に対し横方向に向かう突起部６を波線上７にある
突起としたことによりその波線上７となる凹部にそれぞれの任意用品を掛止させて下
部や左右にずれることを防ぐものとしまたその波線上となる凹部にはまるようにその
円環ゴム９からなる永久磁石１１を該円環ゴム９から突出させてもよいものとなり尚
その永久磁石は複数の永久磁石としてその円環ゴムに対し複数個所支点で用品幅のあ
る該用品の重さを支える形成としてもよいものとしまた図示はないが一例としてその
波線は複数個所で形成することやそれぞれの大きさや形の波線としてもよいものとな
り仮にその波線の一例として丸みの帯びた緩やかな波線にすることやまた山折や谷折
のような波線を形成すること等があり更にその基板２形成の一例として磁石５を磁気
保持可能な基板２と共に樹脂を使用する、それぞれの基板２で形成、木製を使用する、
金属製を使用する、弾性または柔軟を介する形成とする、それぞれの基板２の内部を空
洞にする、その磁石５を磁気保持可能な基板２より軽量な部材を使用する等があり（ｅ）
は前記基板２の一側面側３または該基板２の外周端部１９の少なくとも一方に前記円
環ゴム９を磁気保持させた状態で前記基板２から突出する突起部６で前記円環ゴム９
を囲う２７ように形成したことを特徴とすることやまた前記基板２を横長形状２８の
長方形４８または直方体４９としたことを特徴とするそれぞれを示しまずその基板２
の一側面側３または該基板２の外周端部１９の少なくとも一方に前記円環ゴム９を磁
気保持させた状態で前記基板２から突出する突起部６で前記円環ゴム９を囲う２７よ
うに形成したことによりその外周端部１９や基板２の一側面側３の一部に係るその囲
う２７突起部６によりその円環ゴム９をずらすことなく磁着収納ができるものとなり
またその突起部６を大小に形成することや厚い肉厚５１と薄い肉厚５２と分けて形成
することによりその薄い肉厚５２等の突起部６によりその円環ゴム９を移動させやす
いものとなりまたその囲う２７形状の一例としてその円環ゴム９に対し四方を囲う、二
方を囲う、多角形状で囲う、円状で囲う等があり尚一例となるがそれぞれの突起部６を
弾性部材または弾性体の突起で形成すること、柔軟部材で柔軟性を与える突起、シリコ
ン形成、ウレタン樹脂形成、その基板２より軟質な部材または高硬度な部材形成、突起
が突出するシール等の後付け突出、複数の部材からなる突起、それぞれの突起を平行に
形成、横移動や縦移動のレール形成、該突起が外圧力により凹む形成等がありまたその
円環ゴム９は用品を挟み込む手段４４を介する形成として該取り付けた用品を落ちな
いように形成してもよいものとなり仮にその挟み込む手段４４部材を発泡ゴムもしく
は防水発泡ゴムまたは防水部材としてもよいとなり尚その基板２の形の一例として正
方形または長方形等に該当する四角形で形成する、円形または長円形で形成する、横長
形状で形成する、縦長形状で形成する、多角形で形成する、立体で形成する等があり次
にその基板２を横長形状２８の長方形４８または直方体４９としたことにより縦スぺ
―スを取らずに任意場所に配置することができまたその直方体の立体肉厚や縦幅が狭
いことにより垂直面の壁等の接地面から用品の先端部分や後端部分の取手側を浮かし
た状態でそれぞれの用品をその円環ゴム９を介して取り付けることが可能となりその
浮いた状態の取手部から用品の着脱が行いやすいことやまたその用品に係る先端部の
衛生面に効果的となる。
【００５１】
図４の（ａ）は前記基板２の外周端部１９にフック２９または半円リング部４５を設
けて形成したことを特徴とすることを示しそのフック２９に使用していない円環ゴム
９を通し掛けることやその半円リング部４５にＳフック等を利用して用品を掛止する
ことができその基板２に掛止または係止収納することにより用品をより多く収納でき
るようにしたものとなり仮にその基板２に係る外周端部１９の形成はそれぞれの用品
が吊り下げられる手段または係止手段を介する形成となればどのような形状でもよい
ものとなりまた仮にそのフック２９や半円リング部４５はそれぞれの大きさが同一ま
たは大小等のそれぞれの大きさとなるように形成してもよいものとし（ｂ）は前記基
板２の外周端部１９の上部２０と下部２１を連通する孔２３または該上部２０が開放
するポケット収納部２２を有することを特徴とすることを示しまずその基板２の一側
面側３に係る円環ゴム９に備わるそれぞれの用品の磁着掛止と共にその基板２の外周
端部１９に係る上部２０と下部２１を連通する孔２３によりその孔２３からなる上部
２０から下部２１に向かって包丁または任意用品をその連通する孔２３に差して使用
する収納が可能となりそれぞれ係る用品の整理枠を広げ小スペースでより多くの該用
品を一か所にまとめることができ次にその基板２の外周端部１９に係る上部２０が開
放するポケット収納部２２を有する形成とすることにより該ポケット収納部２２にそ
れぞれの収納場所に合う任意部品を入れて使用することやまたそのポケット収納部２
２を複数となる分割等により該分割による少幅からなるそれぞれのポケット収納部２
２を利用してスプ―ンやホークまたは箸等のそれぞれの使用場所に応じてその任意用
品を入れて使用してもよいものとなり仮に一例となるがその連通する孔２３に包丁を
差した状態の該包丁の先端部がその基板２の外周端部１９となる下部２１から飛び出
す場合その先端部の少なくとも一部を覆う２４手段を介して形成してその包丁の収納
扱いを良好となるように形成してもよいものとなりまたその基板２の支持手段部８の
一例として仮に壁等に該基板２の他側面側４の粘着部材１５を利用して支持させると
共にその基板２の少なくとも一部に該基板２の一側面側から他側面側４に向かって貫
通する孔１７を形成して該孔１７にビスを打ち込む形成としてもよいものとなり尚そ
の支持手段部８は複数の支持手段を介してその基板２を任意場所に係止設置させても
よいものとなりまたそのポケット収納部２２の上部２０となる開放部２５の形は包丁
の形に伴い形成することや円または長円形で形成する、多角形で形成する、それぞれ
の大きさや形で形成する、それぞれの形を変形させる等があり尚それぞれの用品を掛
止するその基板２の一側面側３と共に該基板２の上部２０の端部１９に円環ゴム９を
磁着させて収納してもよいものとなりまた図示はないが一例形成としてその包丁等を
収納できる孔またはポケット収納部もしくはそれぞれと異なる収納手段を介する形成
部は基板に対し着脱可能形にしてそれぞれの収納手段を洗浄しやすい形成とすること
やまたその基板を２複数層として形成してもよいものとなり（ｃ）は前記基板２を複
数としそれぞれの肉厚に高低差３０を与えると共に該高低差３０となるそれぞれの基
板２を平行に離間させメッシュ３１で繋ぎあわせて形成したことを特徴とすることを
示しまずその基板２を複数としそれぞれの肉厚に高低差３０を与える形成としたこと
によりそれぞれの高低差３０のある用品取り付け部を利用してそれぞれの円環ゴム９
を介して取り付ける用品を高と低の取り付けにより交差しにくい取り付けとなること
により、より多くの用品掛止を可能としまたそれぞれの基板２を平行に離間させメッ
シュ３１で繋ぎあわせ形成したことにより該メッシュ３１の防水性や通気性が良くな
ることによりキッチンや洗面台等の水周りで使用できるものとなりまたそのメッシュ
３１にはＳ字フック等を利用して様々な用品の取り付けが行えるため用品を掛ける収
納幅が広がる形成となり仮にそのメッシュ３１は１０メッシュ以上でも以下でもよい
ものとなりまたそのメッシュ３１形状は四角形で形成する、円形状で形成する、動物
形状や花柄または模様で形成する、またそれぞれの形と異なる変形で形成する等があ
り尚そのメッシュ３１または基板２もしくはそれぞれ円環ゴム９の補強や衛生面に関
しそれぞれの部材に混合や含浸または塗布等の高硬度な部材補強、繊維等の低硬度部
材補強、複数部材で補強または抗菌剤もしくは抗菌効果を与える形成等がありまたそ
の突起部６は立体となればよいものとし尚その基板２を複数の高低差３０で形成する
それぞれをその平行に限ることのないそれぞれを繋ぎ手段を介する形成としてもよい
ものなりまたその平行で示すそれぞれの基板２の上方向となる該基板２をその円環ゴ
ム９を利用する形成として共にその下方向となる基板２の少なくとも一部に永久磁石
１１を設け包丁やハサミ等の金属製品を直接取り付ける形成としてそれぞれの基板２
の使い分けを変えてもよいものとなりまたその基盤２に防水手段を介する形成、防腐
や防さび効果手段を与える形成、シール等の被覆手段等を利用して複数層で形成する
等があり尚その複数の基板２を仮に同一な肉厚や形の複数とすることやまた異なる形
のそれぞれの基板２として形成することもでき尚その基板２や該基板２に係る形成を
顔料で着色することや絵柄や模様をつけて形成してもよいものとなる。
【００５２】
図５の（ａ）は前記基板２の少なくとも一部に傾斜３２または曲部３３を有する形
成としたことを特徴とすることを示しその基板２の一部となる一側面側３に曲部３３
に係る凹部を設けることにより該凹部にそれぞれの用品に係る円環ゴム９を掛止させ
てズレ落ちることを防ぐものとなりまたその基板２を垂直とし該垂直に対し該基板２
の上部２０となる端部１９に曲がりを与えることによりその曲がりを利用してそれぞ
れの用品を掛止する該用品の先端部を持ち上げて磁着させることも可能となり尚その
基板２の下部２１となる端部１９をその基板２の垂直に対し曲がりをあたえることに
よりそれぞれの円環ゴム９を置き収納させることやまたそれぞれの用品を掛止する該
用品のズレ止めする第二のストッパーとなり（ｂ）は前記基板２に永久磁石１１を有
する形成としたことを特徴とすることを示しその基板２に永久磁石１１を有する形成
としたことによりその基板２に磁着する円環ゴム９に係る永久磁石１１と共にその基
板２に係る永久磁石１１を引きあわせ磁着効果を高めるものとなり更にその基板２側
の永久磁石１１により円環ゴム９を使用しなくともよい金属用品の取り付けが直接的
に磁着させることも可能となり仮にその永久磁石１１を大きく分けるとフェライト磁
石、金属磁石、ボンド磁石等があり特に一般的なネオジム磁石やサマリウムコバルト
磁石があり図示はないが仮にその基板２にメッシュ３１を覆い該メッシュ３１に永久
磁石粉末を含有させて磁着可能な基盤２とすることやまたそのメッシュ３１に永久磁
石を設けて金属用品を直接磁着させることによりそのメッシュ３１により用品と基板
２の間に通気性を与え細菌の増殖低減をさせることも可能となりそのように通気部材
または通気手段を介する形成としてもよいものとなり（ｃ）前記円環ゴム９を伸縮部
材３４または弾性部材３５で形成し該伸縮部材３４または弾性部材３５の周面を螺旋
状となる補強部３５を形成したことを特徴とすることを示し仮にその円環ゴム９に係
る輪ゴム５４を伸縮部材３４で形成して該伸縮の伸び縮みを利用してそれぞれの大き
さや形からなる用品に取り付けて使用することやまたその円環ゴム９に係るＣリング
１０をウレタン等の弾性部材３５としてその弾力なる変形を利用して該Ｃリングで挟
み込むものとしてもよいものとなりその伸縮部材３４や弾性部材３５の一例とし天然
ゴム、合成ゴム、非ジエン系ゴム、熱可塑性エラストマー、複数のゴムで形成等があ
りそれぞれの中にはウレタンゴム、シリコンゴム、弾性糸等がありまたその伸縮部材
３４または弾性部材３５の周面を螺旋状となる補強部３６を形成したことによりその
螺旋状となるバネのような伸縮性を有する形状を利用してそれぞれの部材の変形に合
わせてその補強部を変形しやすい形成となる該補強部によりそれぞれの部材の壊れや
すさを防ぐものとなり仮にその補強の一例として円環ゴム９対し高硬度部材で補強す
る、低硬度部材で補強する、セラミックの粉末を混合する、亜鉛を混合する、滑材を
混合する等がありまたその伸縮部材３４と弾性部材３５は同一な部材の見方もできる
ものとなり（ｄ）は前記円環ゴム９の内径または外径の少なくとも一方から突出する
突出部３７を形成もしくは前記内径または外径の少なくとも一方に滑り止め手段４６
を介する形成としたことを特徴とすることを示しまずその円環ゴム９の内径または外
径に突出部３７または滑り止め手段４６を介する形成を与えることによりその円環ゴ
ム９の内径に挿入する用品を確実に係止させるものとなり仮にその突出部３７は大小
等の複数の突出部３７で形成する、同一の大きさの突出部３７で形成する等があり次
にその円環ゴム９の外径から突出する突出部３７または滑り止め手段４６を介する形
成となることによりその用品に備わる円環ゴム９を該突出部３７または滑り止め手段
４６を介して用品を取り外しやすい形成となりまた図示はないが仮にその円環ゴム９
に係る用品をそれぞれの内径で固定支持させるものとなるが該固定支持させる一例と
してその内径に用品を支持手段を介する形状となればよいものとなりまた仮にその円
環ゴム９を動物、星、花等のその円形状から変形させるまたは肉厚を有する立体形状
で形成することもできまたその円環ゴム９の内径に仮に歯みがき粉を取り付けた場合
その歯みがき粉の内容物を使い残しのないようにその円環ゴム９に押し出す手段を介
する形成部を設けてもよいものとなり仮にその突出部３７を利用してもよいものとな
る。（ｅ）前記円環ゴム９を多孔質３８としたことを特徴とすることを示しその円環ゴ
ム９を多孔質３８とすることのよりそれぞれの孔があることにより軽量部材となり易
くその基板２の仮に垂直面に対し安定した取り付けが行えるものとなりまたクッショ
ン性を有しやすい部材となる為安全且安心して使用できるものとなり尚その多孔質３
８の一例として架橋多孔質、ナノ多孔質、ミクロ多孔質、メッシュ多孔質等がある。
【００５３】
図６の（ａ）は前記基板２を多孔質３８で形成し該多孔質３８の一部に前記磁気保
持可能な基板２を有する形成としたことを特徴とすることを示しまずその基板２を多
孔質３８で形成することにより軽量且クッション性を有しやすい部材となる為該軽量
による壁等の垂直面に対し安定した状態で取り付けが行えるものとなりまたそのクッ
ション性によりその基板２は反発を有しやすいものとなる為それぞれ用品に係る取り
付けなる接触圧を逃がして手や壁等に伝わる伝導または伝導音を軽減させることやま
たそのクッション性により用品にキズをつけにくい形成となりまたその多孔質３８部
材に対し磁気保持可能な基板２を一部形成とする為該一部なる軽量化を行える形成と
なりまたその多孔質３８はその基板２に穴を設ける形成もあり（ｂ）は前記円環ゴム
９または前記基板２を熱可塑性樹脂３９または耐熱部材４０で形成したことを特徴と
することやまた前記基板２に前記突起部６を等間隔４１に設けたことを特徴とするそ
れぞれを示しまずその円環ゴム９または基板２を熱可塑性樹脂３９または耐熱部材４
０で形成したことにより熱に強い部材となる為火元のキッチン用品や熱のこもりやす
い場所等に使用できるものとなりその熱可塑性樹脂３９の一例としてポリウレタン系
熱可塑性エラストマー、ポリエステル系熱可塑性エラストマー、ポリスチレン熱可塑
性エラストマー、ポリオレフィン熱可塑性エラストマー、塩化ビニール系熱可塑性エ
ラストマー、ポリアミド系熱可塑性エラストマー、ポリブタジエン熱可塑性エラスト
マー、または複数の熱可塑性部材や複数の耐熱部材で形成する等がありまたその耐熱
部材４０の一例として金属等があり仮にその基板２形成として軽金属と該軽金属の一
部に磁気保持可能な基板２部材を設けて形成することやまたその磁気保持可能な基板
２より軽い軽量部材を該基板に合わせて形成してもよいものとなりまたその基板２係
る突起部６を等間隔４１に設けたことにより該等間隔４１の一例としてその基板２の
中心部から左右対称となる等間隔４１、それぞれの突起が等間隔４１幅で配列する、
角度等間隔４１、平行等間隔４１、突起による形や模様の等間隔４１等がありその等
間隔４１はある一定の定めた幅等の突起を配列させることにより該突起に掛止する円
環ゴム９備わる用品を確実に安定して掛止させることができるものとなり（ｃ）は前
記他側面側４に係る支持手段部８を該他側面側４に粘着部材１５層と該粘着部材１５
層を覆う剥離可能な剥離シート４２層のそれぞれを一体的に積層させたことを特徴と
することを示しその剥離シート４２を剥離することによりその他側面側４に係る粘着
部材１５層によりキッチン、洗面台、お風呂場、玄関、リビング、寝室、オフィス、
または任意場所等のそれぞれ多目的用途場所でその基板２を支持させることができる
ものとなり仮にその粘着部材１５層の一例としてゴム系、アクリル系、シリコン系、
ウレタン系または防水粘着剤等があり尚その粘着部材１５には火等の熱で炙り溶かし
つける等の熔着部材もあり仮にその支持手段部８は基板２の一部を利用して形成して
もよいものとなりまたその支持手段部８の一例としてその基板２の上部に複数の孔を
有するそれぞれの孔を介して紐１８や結束バンド等で吊るすことによる支持も可能と
なる。
【符号の説明】
【００５４】
１  用品の取り付け具
２  基板または磁石を磁気保持可能な基板
３  一側面
４  他側面側
５  磁石
６  突起部
７  波線上
８  支持手段部
９  円環ゴム
１０  Ｃリング
１１  永久磁石
１２  小突起
１３  大突起
１４  吸着部材
１５  粘着部材
１６  立設部材
１９  端部または外周端部
２０  上部
２１  下部
２２  ポケット収納部
２３  端部に係る孔
２４  覆う
２５  開放部
２６  凹部
２７  囲う
２８  横長形状
２９  フック
３０  高低差
３１  メッシュ
３２  傾斜
３３  曲部
３４  伸縮部材
３５  弾性部材
３６  螺旋状となる補強部
３７  突出部
３８  多孔質
３９  熱可塑性樹脂
４０  耐熱部材
４１  等間隔
４２  剥離シート
４３  積層
４４  挟み込む手段
４５  半円リング部
４６  滑り止め手段
４７  突起シール
４８  長方形
４９  直方体
５０  半円
５１  厚い肉厚
５２  薄い肉厚
５３  二本線
５４  輪ゴム
【図１】
0003202356.tif 000003
【図２】
0003202356.tif 000004
【図３】
0003202356.tif 000005
【図４】
0003202356.tif 000006
【図５】
0003202356.tif 000007
【図６】
0003202356.tif 000008